(57)【要約】      （修正有）【課題】恋愛＆結婚保険の掛金を掛けているという事実から得られる、恋愛や結婚に対する自覚の強化や、あるいは、期限到達時の一定額返金というオプションを採用した場合の、恋愛、および結婚の失敗による損失を防ごうとする心理的な動機付けを利用した恋愛、および結婚の成就の促進効果を提供する。【解決手段】恋愛＆結婚（失恋・離婚）保険契約の締結、すなわち、当保険への加入。具体的には、掛金や保険の受取額、および、その受取の有無や受取時期、仲裁人の介在などの、種々のオプションの設定、さらに、掛金に対する契約当事者間での保険受取金の割合や受取条件などの事前の取り決め。あるいは、契約当事者間での保険受取額の割合に対する、諸要件を考慮した事後的な示談、および調整。【選択図】なし【特許請求の範囲】
【請求項１】
恋愛＆結婚（失恋・離婚）保険制度。
【請求項２】
恋愛＆結婚（失恋・離婚）保険契約制度における、掛金や保険の受取額、及び、その受取の有無、受取配分、受取時期、仲裁人の介在など、種々の規約、並びにオプションと、それらの設定。
【請求項３】
恋愛＆結婚（失恋・離婚）保険契約制度における、掛金に対する契約当事者間での保険受取金の割合や受取条件などの事前の取り決め。あるいは、契約当事者間での保険受取額の割合に対する、諸要件を考慮した事後的な示談、および調整。
【発明の詳細な説明】
【技術分野】
【０００１】ビジネス方法
【背景技術】
【０００２】恋愛＆結婚（失恋・離婚）保険とは、オール・オア・ナッスイング（ａｌｌ  ｏｒ  ｎｏｔｈｉｎｇ）の賭博にも似た、一種の賭け事、人生の一大イベントであるところの恋愛や結婚に対して掛ける保険である。【０００３】恋愛や結婚は、それに従事する間、当人たちの誠意や真心が尽くされたり、多くの時間が費やされたりするのみならず、恋愛や結婚によって人生の岐路に立たされ、別の道を選んだ時に得られたはずの機会を失うことすらある。【０００４】恋愛や結婚が成就しなかった場合、あるいは、途中で頓挫した場合に生じ得る、そういった様々の損失を補償すべく、恋愛＆結婚（失恋・離婚）保険が考案された。【０００５】そのシステムは、次の如きものである。お付き合いが始まった二人が、先ず訪れるのは、あるいは、恋愛や結婚の行く末を案じる二人が、その成就を願って訪れるのは、恋愛＆結婚（失恋・離婚）保険会社の窓口である。恋愛＆結婚（失恋・離婚）保険契約では、掛金やオプションは自由に設定でき、或いは、保険会社（企業）の方で、一定額の掛金や一定のオプションを設定することも可能である。さらに、契約当事者間の保険金の受取条件や受取の割合に関しても、その別離に至った経緯が、当事者のうち、どちらの責めに帰すべきなのか、また、たとえ、その責めが当事者双方に帰する場合でも、それぞれの割合に応じた配分にする、という具合に、諸要件によって、事前に取り決めておいたり、示談により事後的に調整したりできる。この判定に、仲裁人の介在というオプションを付けることも可能である。【０００６】さらに進んで、恋愛＆結婚保険契約のオプションとして、期限到達時の一定額返金を採用すれば、後に得られる返金額と、背信行為による損失額との比較衡量によって、その喪失感が誘因となり、恋愛、および結婚の当事者が不倫や離婚を躊躇し、思いとどまる確率は高まる。【０００７】また、たとえ、恋愛、および結婚の当事者が、やむを得ず別離に至った場合でも、背信行為を受けた側の当事者は、一定の補償金を受け取ることで、その間、尽くした誠意や真心、失われた時間や思い出、あるいは人生の機会に対し、それなりに気持ちの整理がつき、納得することができるであろう。【０００８】このように、恋愛＆結婚（失恋・離婚）保険は、良い恋愛＆結婚の継続に資するだけでなく、別れの際の喪失感を補うことができるという、非常に合理的で、かつ、思慮に満ちた保険商品であり、健全な恋愛、および結婚を促進する社会保障制度としても機能し得る、有益、かつ有意義な商品でもある。【０００９】それぞれの人生、そして、それぞれが迎えるこれからの未来に対する思慮によって、この恋愛＆結婚保険が誕生した。【００１０】以上、恋愛＆結婚（失恋・離婚）保険という保険商品について説いた。
【発明の概要】
【００１１】恋愛＆結婚（失恋・離婚）保険という保険商品の考案。
【発明が解決しようとする課題】
【００１２】恋愛や結婚が成就しなかった場合、あるいは、途中で頓挫した場合に、その間、契約者当人たちによって尽くされた誠意や真心、費やされた多くの時間、あるいは、別の人生を選んだ場合に得られたであろう機会などの様々な損失の補償を提供すること。また、その実施に対する法的執行力の担保。あるいは、恋愛＆結婚保険の掛金を掛けることにより、さらには、期限到達時の一定額返金というオプションを採用した場合の、恋愛、および結婚の失敗による損失を防ごうとする心理的な動機付けを利用した、恋愛、および結婚の成就の促進効果を提供すること。
【課題を解決するための手段】
【００１３】恋愛＆結婚（失恋・離婚）保険契約の締結、すなわち、当保険への加入。具体的には、掛金や保険の受取額、および、その受取の有無や受取時期、仲裁人の介在などの、種々のオプションの設定、さらに、掛金に対する契約当事者間での保険受取金の割合や受取条件などの事前の取り決め。あるいは、契約当事者間での保険受取額の割合に対する、諸要件を考慮した事後的な示談、および調整。
【発明の効果】
【００１４】恋愛や結婚が成就しなかった場合、あるいは、途中で頓挫した場合に、その間、契約者当人たちによって尽くされた誠意や真心、費やされた多くの時間、あるいは、別の人生を選んだ場合に得られたであろう機会などの様々な損失の補償が提供されること。また、その実施に対する法的執行力の担保。さらに、恋愛＆結婚保険の掛金を掛けているという事実から得られる、恋愛や結婚に対する自覚の強化や、あるいは、恋愛＆結婚保険に期限到達時の一定額返金のオプションを採用した場合で、後に得られる返金額と、背信行為による損失額とを比較衡量した場合に得られる、損得勘定や喪失感を誘因とした、契約当事者間での不倫や離婚の躊躇、および回避。
【発明を実施するための形態】
【００１５】恋愛＆結婚（失恋・離婚）保険契約の締結、すなわち、当保険への加入。具体的には、掛金や掛金の受取額、および、その受取の有無や受取時期、仲裁人の介在などの、種々のオプションの設定、さらに、掛金に対する契約当事者間での保険受取金の割合や受取条件などに関する事前の取り決め。あるいは、契約当事者間での保険受取額の割合に対する、諸要件を考慮した事後的な示談、および調整。
【産業上の利用可能性】
【００１６】保険会社など、保険業界での保険商品としての販売、および取引。
【手続補正書】
【提出日】令和2年8月6日(2020.8.6)
【手続補正１】
【補正対象書類名】明細書
【補正対象項目名】全文
【補正方法】変更
【補正の内容】
【発明の詳細な説明】
【技術分野】
【０００１】
コンピュータを用いるビジネス方法
【背景技術】
【０００２】
恋愛＆結婚（失恋・離婚）保険とは、オール・オア・ナッスイング（all or nothing）の賭博にも似た、一種の賭け事、人生の一大イベントであるところの恋愛や結婚に対して掛ける保険である。
【０００３】
恋愛や結婚は、それに従事する間、当人たちの誠意や真心が尽くされたり、多くの時間が費やされたりするのみならず、恋愛や結婚によって人生の岐路に立たされ、別の道を選んだ時に得られたはずの機会を失うことすらある。
【０００４】
恋愛や結婚が成就しなかった場合、あるいは、途中で頓挫した場合に生じ得る、そういった様々の損失を補償すべく、恋愛＆結婚（失恋・離婚）保険が考案された。
【０００５】
そのシステムは、次の如きものである。お付き合いが始まった二人が、先ず訪れるのは、あるいは、恋愛や結婚の行く末を案じる二人が、その成就を願って訪れるのは、恋愛＆結婚（失恋・離婚）保険会社の窓口である。恋愛＆結婚（失恋・離婚）保険契約では、掛金やオプションは自由に設定でき、或いは、保険会社（企業）の方で、一定額の掛金や一定のオプションを設定することも可能である。さらに、契約当事者間の保険金の受取条件や受取の割合に関しても、その別離に至った経緯が、当事者のうち、どちらの責めに帰すべきなのか、また、たとえ、その責めが当事者双方に帰する場合でも、それぞれの割合に応じた配分にする、という具合に、諸要件によって、事前に取り決めておいたり、示談により事後的に調整したりできる。この判定に、仲裁人の介在というオプションを付けることも可能である。
【０００６】
さらに進んで、恋愛＆結婚保険契約のオプションとして、期限到達時の一定額返金を採用すれば、後に得られる返金額と、背信行為による損失額との比較衡量によって、その喪失感が誘因となり、恋愛、および結婚の当事者が不倫や離婚を躊躇し、思いとどまる確率は高まる。
【０００７】
また、たとえ、恋愛、および結婚の当事者が、やむを得ず別離に至った場合でも、背信行為を受けた側の当事者は、一定の補償金を受け取ることで、その間、尽くした誠意や真心、失われた時間や思い出、あるいは人生の機会に対し、それなりに気持ちの整理がつき、納得することができるであろう。
【０００８】
このように、恋愛＆結婚（失恋・離婚）保険は、良い恋愛＆結婚の継続に資するだけでなく、別れの際の喪失感を補うことができるという、非常に合理的で、かつ、思慮に満ちた保険商品であり、健全な恋愛、および結婚を促進する社会保障制度としても機能し得る、有益、かつ有意義な商品でもある。
【０００９】
それぞれの人生、そして、それぞれが迎えるこれからの未来に対する思慮によって、この恋愛＆結婚保険が誕生した。なお、当保険の情報処理に関しては、商慣習に従い、コンピュータを用いるものとする。
【００１０】
以上、恋愛＆結婚（失恋・離婚）保険という保険商品について説いた。
【発明の概要】
【００１１】
恋愛＆結婚（失恋・離婚）保険という保険商品の考案。
【課題を解決するための手段】
【００１２】
恋愛＆結婚（失恋・離婚）保険契約の締結、すなわち、当保険への加入。具体的には、掛金や保険の受取額、および、その受取の有無や受取時期、仲裁人の介在などの、種々のオプションの設定、さらに、掛金に対する契約当事者間での保険受取金の割合
や受取条件などの事前の取り決め。あるいは、契約当事者間での保険受取額の割合に対する、諸要件を考慮した事後的な示談、および調整。
【発明が解決しようとする課題】
【００１３】
恋愛や結婚が成就しなかった場合、あるいは、途中で頓挫した場合に、その間、契約者当人たちによって尽くされた誠意や真心、費やされた多くの時間、あるいは、別の人生を選んだ場合に得られたであろう機会などの様々な損失の補償を提供すること。
また、その実施に対する法的執行力の担保。さらに、恋愛＆結婚保険の掛金を掛けているという事実から得られる、恋愛や結婚に対する自覚の強化や、あるいは、期限到達時の一定額返金というオプションを採用した場合の、恋愛、および結婚の失敗によ
る損失を防ごうとする心理的な動機付けを利用した恋愛、および結婚の成就の促進効果を提供すること。
【発明の効果】
【００１４】
恋愛や結婚が成就しなかった場合、あるいは、途中で頓挫した場合に、その間、契約者当人たちによって尽くされた誠意や真心、費やされた多くの時間、あるいは、別の人生を選んだ場合に得られたであろう機会などの様々な損失の補償が提供されること。
また、その実施に対する法的執行力の担保。さらに、恋愛＆結婚保険の掛金を掛けているという事実から得られる、恋愛や結婚に対する自覚の強化や、あるいは、恋愛＆結婚保険に期限到達時の一定額返金のオプションを採用した場合で、後に得られる返
金額と、背信行為による損失額とを比較衡量した場合に得られる、損得勘定や喪失感を誘因とした、契約当事者間での不倫や離婚の躊躇、および回避。
【発明を実施するための形態】
【００１５】
恋愛＆結婚（失恋・離婚）保険契約の締結、すなわち、当保険への加入。具体的には、掛金や掛金の受取額、および、その受取の有無や受取時期、仲裁人の介在などの、種々のオプションの設定、さらに、掛金に対する契約当事者間での保険受取金の割合
や受取条件などに関する事前の取り決め。あるいは、契約当事者間での保険受取額の割合に対する、諸要件を考慮した事後的な示談、および調整。
【産業上の利用可能性】
【００１６】
保険会社など、保険業界での保険商品としての販売、および取引。
【手続補正２】
【補正対象書類名】特許請求の範囲
【補正対象項目名】全文
【補正方法】変更
【補正の内容】
【特許請求の範囲】
【請求項１】
コンピュータを用いる恋愛＆結婚（失恋・離婚）保険制度。
【請求項２】
恋愛＆結婚（失恋・離婚）保険契約制度における、掛金や保険の受取額、及び、その受取の有無、受取配分、受取時期、仲裁人の介在など、種々の規約、並びにオプションとそれらの設定。
【請求項３】
恋愛＆結婚（失恋・離婚）保険契約制度における、掛金に対する契約当事者間での保険受取金の割合や受取条件などの事前の取り決め。あるいは、契約当事者間での保険受取額の割合に対する、諸要件を考慮した事後的な示談、および調整。